(57)【要約】    【課題】電子デバイス内への構造体の格納のための装置および方法を提供する。    【解決手段】  マウス（１００）の電気接続部（４２）は、データ接続部をも有するデバイスのベイ（１４）内の電気インターフェイスの電源接続部のみに電気的に結合することによって、マウス（１００）が電気デバイスベイ（１４）内に挿入されたときにマウス（１００）が充電されることを特徴とする、電気デバイスのベイ（１４）内への挿入可能及びベイ（１４）からの取り外し可能であるように構成される再充電可能なマウス（１００）を提供する。【選択図】図１２
2006048673.tif 000002
【特許請求の範囲】
【請求項１】
電気デバイスのベイ内の挿入可能及び前記ベイから取り外し可能であるように構成される再充電可能なマウスであって、前記マウスの電気接続部は、データ接続部をも有する前記電気デバイスの前記ベイ内の電気インターフェイスの電源接続部のみに電気的に結合することによって、前記マウスが前記電気デバイスベイ内に挿入されたときに前記マウスが充電されることを特徴とするマウス。
【請求項２】
前記電源接続部は少なくとも２つの電源ピンを含むことを特徴とする請求項１に記載のマウス。
【請求項３】
前記電源接続部および前記データ接続部に機械的に接続する接続部をさらに備え、前記データ接続部に機械的に接続する前記マウスの前記接続部の一部は、前記マウス内で電気的に接続されないことを特徴とする請求項１または請求項２に記載のマウス。
【請求項４】
取り出し可能なユニットを受け入れるように構成されるベイを有する装置を備え、前記ベイは、前記ユニットに電力及びデータを送るために前記ユニット上の接続部と係合するように構成された電気インターフェイスを有し、
前記ベイ内での存在に適した、請求項１から請求項３までのいずれか１項に記載の再充電可能なマウスを備え、前記マウスの電気接続部は前記ベイ内の前記インターフェイスの電源部分と接続するように構成されることによって前記ベイ内に存在するときに前記マウスは充電されることを特徴とする電子デバイス。
【請求項５】
前記マウスが前記ベイ内に存在するとき、前記マウスの本体は前記ベイに完全に取り囲まれて前記本体は前記装置から突出しないことを特徴とする請求項４に記載の電子デバイス。
【請求項６】
前記マウスが前記ベイから取り出されると、前記ベイは記憶媒体を受け入れるように構成されることを特徴とする請求項４又は請求項５に記載の電子デバイス。
【請求項７】
前記ベイは少なくとも１つのＰＣＭＣＩＡカードスロットであることを特徴とする請求項４から請求項６までのいずれか１項に記載の電子デバイス。
【請求項８】
前記マウスは送信機を備え、前記装置は前記マウスによる前記装置のコードレス制御のための、対応する受信機を備えることを特徴とする請求項４から請求項７までのいずれか１項に記載の電子デバイス。
【請求項９】
マウスを、前記マウス以外のデバイス内の対応する接続部との接続のために設けられるインターフェイスを有する電子装置のベイ内に配置し、前記マウスは使用できないが他のデバイスが使用することができる少なくとも１つの接続部を前記ベイは備えることを特徴とするマウスを格納する方法。
【請求項１０】
前記インターフェイスに、前記マウスが使用することができる電源接続部と前記マウスは使用しない少なくとも１つの他の接続部とを設けることと、前記マウスを前記電源接続部に接続することと、前記電源接続部から前記マウスを充電することを含むことを特徴とする請求項９に記載の方法。
【発明の詳細な説明】
【技術分野】
【０００１】
本発明は、電子デバイス内への構造体の格納に関する。
【０００２】
本出願は、２００４年７月３０日にソロモン、ムーア、ハリス、ドウジー、アンダーソン、フォルク、およびグリーンベナウの名義で出願された米国特許出願第１０／９０３，１０６号（整理番号Ｎｕｈｐ：０２８２  ２００４０２５６７−１）の一部継続出願であり、上記米国特許出願の全体が本明細書に援用される。
【背景技術】
【０００３】
コンピュータおよび他の電子デバイスが発達するとともに、これらのデバイスはより多機能型に進化する。例えば、ポータブルおよびハンドヘルドコンピュータは、そのプロセッサ電力、画面解像度、および画面サイズの点での向上に伴い、音楽や動画を再生し、またはゲームをプレーするのに用いることができるマルチメディアプラットフォームとして機能することができるようになった。同様に、デジタルカメラおよびカムコーダは、デバイスがテレビジョン、モニタ、またはコンピュータに接続されるとこれらのデバイスによって再生することができるビデオファイルを記憶することができる。別の例として、音楽プレーヤーおよび他のオーディオ再生デバイスは、接続されたコンピュータまたはステレオシステムにあるオーディオファイルを再生するために使用される。
【発明の開示】
【発明が解決しようとする課題】
【０００４】
ユーザは、特定の制御器またはアクセサリとともにこれらの電子デバイスを利用することを好む場合がある。例えばユーザは、専用ゲームコンソールを用いる際に用いるものと同様のゲームコントローラまたはインターフェイスを用いて、ゲームをすることを好む場合がある。同様に、ポータブル電子デバイスに記憶されたビデオまたは音楽を鑑賞するユーザは、使い慣れたリモコンまたはインターフェイスを用いることを望む場合がある。
【０００５】
しかしながら、ポータブルおよびハンドヘルドコンピュータ、ならびに他のタイプのポータブル電子デバイスが、容易かつ便利に持ち運びできるように設計されている限り、コントローラ、ケーブル、コネクタ等のような別個の機器をデバイスとともに運搬することは不便である。同様に、ポータブル電子デバイスが、メモリカードまたはメモリスティック等の挿入可能な記憶媒体を用いる限り、取り外し可能な付加的な媒体をデバイスとともに運搬することは望ましくない場合がある。
【課題を解決するための手段】
【０００６】
以下で説明するように、本発明のいくつかの実施形態は、ポータブルまたはハンドヘルドコンピュータ、携帯情報端末（ＰＤＡ）、デジタルカメラまたはカムコーダ、オーディオプレーヤー（例えば、ＭＰＥＧ（Motion Picture Experts Group）オーディオレイヤ３（ＭＰ３）規格に従ったファイルを再生するように構成されるプレーヤー等）、または他のポータブルもしくはノンポータブル電子デバイス等の電子デバイスとともに用いられる補助機器を格納するための方法、装置、またはシステムから成る。いくつかの例示的な実施形態は、電子デバイスのハウジング内のユーザがアクセス可能な周辺またはメモリデバイスベイを利用し、これらは周辺カード、ストレージデバイス、またはメモリカード等の挿入可能な構成要素または媒体とインターフェイスするように構成される。例えば、ここで説明するデバイスベイは、パーソナルコンピュータメモリカード国際協会（ＰＣＭＣＩＡ）規格またはエクスプレスカード規格に従った周辺カードを受け入れるように構成されるスロット等、１つまたは複数の周辺カードスロットをから構成される。同様に、デバイスベイは、光ディスク、磁気ディスク、メモリカード、または他の記憶媒体等の種々の媒体と係合してそれを読み取るのに適したスロットから構成されてもよい。さらには、デバイスベイは、光ディスクドライブおよびフロッピーディスクドライブ、またはリムーバブルハードドライブ等のストレージデバイスまたはリーダに適合するように構成されるベイまたはコンパートメントから構成されてもよい。周辺デバイス、記憶媒体、ストレージデバイス等が、これらに対応して構成されたデバイスベイに入っていない場合、このデバイスベイは、代わりに他の構造体または機器を確実に格納するように用いることができる。
【発明を実施するための最良の形態】
【０００７】
図を参照すると、図１は、ラップトップコンピュータ、ノートブックコンピュータ、またはタブレットコンピュータ等のポータブルコンピュータ１０の形態の電子デバイスの一実施形態を示す。ポータブルコンピュータ１０のハウジング１２は、ベイ内で機能する取り出し可能な構成要素または媒体を受け入れるように構成される、種々のデバイスベイを含む。例えば、デバイスベイは、適切に構成されたデバイスがベイに挿入されると、電気インターフェイス等によってそのデバイスと直接に接続するように構成される。そのように接続されると、挿入されたデバイスは、このデバイスと電気的に接続された、ポータブルコンピュータ１０の内部のバス、メモリ、またはプロセッサ等の他の構成要素とともに機能する。例えば、ハウジング１２は、ネットワークアダプタ、モデム、またはリムーバブルハードドライブ等の周辺カードと電気的に接合、接続するように構成される、ＰＣＭＣＩＡカードスロットまたはエクスプレスカードスロット等の１つまたは複数の周辺カードスロット１４を含む。理解されるように、このタイプの周辺カードは、概して、各ベイまたはスロットに挿入されるとポータブルコンピュータ１０の機能性を高めるように設計されており、ベイに挿入されると各電気コネクタと正しく接合する。しかしながら、限定はされないが、電子装置、貯蔵容器、充電可能な構造体等のような多くの構造は、ベイのインターフェイスに直接に接続するのに適したコネクタを欠くように構成され得るが、このような構造は、他の通信手段、例えば、無線、デバイスハウジングの専用コンセントに接続される別個のケーブル等を介して、電子デバイスと相互作用する。
【０００８】
周辺カードまたは他の取り出し可能なデバイスによって提供される機能が不要な場合、図示の周辺カードスロット１４等に対応するベイは空となる場合がある。このような状況では、本発明の実施形態によれば、この空のベイは、構造体１６等の他の機器またはデバイスを確実に格納ために活用される。例えば、使用されていないときは、構造体１６はベイ内に存在することができるように構成され、この場合に存在するとは、ベイ内に保持されること、ベイの内側に嵌まっていること、ベイの内側の一部分に又は全て又は大部分を占めるように配置されること定義される。ユーザがベイ内に存在する構造体１６を取り出したい場合は、スロットまたはベイに対応して構成される周辺カードまたは他の取り出し可能なデバイスを取り外すために通常用いられる取り出し機構を用いて、構造体１６が取り出される。あるいは、他の実施形態では、ユーザは単に、周辺カードスロット１４等のベイ内で構造体１６を保持する抵抗力または係合力に打ち勝つのに十分な力で、構造体１６を引き抜く。
【０００９】
一実施態様では、構造体１６は、ユニバーサルシリアルバス（ＵＳＢ）ハブまたは入力デバイスまたは制御デバイス等の電子装置であり、ポータブルコンピュータ１０と通信または接続する。しかしながら、ポータブルコンピュータ１０との通信または接続は、構造体１６が格納されるスロットまたはベイ内にあるコネクタを介して行われる必要はない。例えば、構造体１６は、ベイ内に格納されていない場合に、限定はされないが、赤外線または無線周波数等の無線手段によって、あるいはポータブルコンピュータ１０のハウジングの専用インターフェイスへのケーブル接続によって、ポータブルコンピュータ１０と通信することができる、コントローラまたは他の入力デバイスであってもよい。いくつかの電子装置の例としては、リモコン、ゲームコントローラ、ならびに光学マウスおよび非光学マウスが挙げられる。
【００１０】
別の実施形態では、構造体１６は、周辺カードスロット１４等の各ベイ内のコネクタ（複数可）に接続する。例えば、構造体１６は、構造体１６のバッテリーを充電するために、ベイ内に接続される。例示的な一実施形態では、構造体１６とコネクタ（複数可）との間の接続により、構造体１６とポータブルコンピュータ１０または他の電子デバイスとの間でデータではなく電力が移動する。このように、バッテリー等の構造体１６の充電可能な構成要素は、ポータブルコンピュータ１０の電源から、または電気コンセントに差し込まれたＡＣ電源コード等を介してポータブルコンピュータ１０に送られる電力から、充電される。このような一実施形態では、構造体１６は、使用されていない場合（すなわちデバイスベイに格納されている場合）に充電されることで、ベイから取り出されたとき又は他のときに充電された構造体１６は使用のための準備が整った（そのものが意図する機能）状態になる。例えば、前述の例のコントローラまたは入力デバイスは、ベイに格納されている場合に、図示の周辺カードスロット１４内の電気インターフェイスへの限定または専用の接続を介して充電される、充電可能なバッテリーを含む。このような限られたインターフェイスでは、構造体１６とポータブルコンピュータ１０または他の電子デバイスとの間に通信の接続はごくわずかに存在するか、または全く存在しない。
【００１１】
前述の例に示したように、構造体１６は電子デバイスであってもよいが、格納容器のような単純な機械的構造体であってもよい。このような一実施形態では、構造体１６は構造体１６の大きさに適する任意のアイテムを格納するために使用される。例えば、ポータブルコンピュータ１０または他の電子デバイスとともに用いる備品はこのようにして格納される。例えば、ある格納構造体を用いて、ポータブルコンピュータ１０または別の電子デバイスによって読み取ることができる種々の記憶媒体を格納するために用いられる。このように格納され得る記憶媒体の例としては、メモリスティック、セキュアデジタル（ＳＤ）メモリカードを含むメモリカード、マルチメディアカード（ＭＭＣ）、ミニ光ディスク等が挙げられる。同様に、ポータブルコンピュータ１０または他の電子デバイスとともに使用され得る、ネットワークケーブル、電話ケーブル、またはＵＳＢケーブル等のケーブルが、適切な構造体１６に格納される。しかしながら、紙クリップ、輪ゴム、ゴム等、ポータブルコンピュータ１０の使用とは無関係の物品も、このように格納されるため、ユーザは、電子デバイスの使用とは無関係な他の物品を格納および運搬してもよい。
【００１２】
本発明による実施形態は、様々な、ポータブル及びノンポータブル電子デバイス、ポータブルまたはノンポータブル電子デバイスを含む。例えば、次に図２を参照すると、ＰＤＡまたはハンドヘルドコンピュータ２０等のポータブル電子デバイスが図示されている。ポータブル電子デバイスは、メモリカードスロットまたは周辺カードスロット１４等のユーザがアクセス可能なデバイスベイを含み、これは、スロット１４が空である場合に格納および他の機能、格納又は他の機能のために用いられる同様に、ＭＰ３および他のオーディオプレーヤー、デジタルカメラおよびカムコーダ、ポータブルデジタルビデオディスク（ＤＶＤ）プレーヤー等のような他の電子デバイスも、機能構成要素または記憶媒体の挿入用のコンパートメントまたはベイを含んでもよく、これらコンパートメント又はベイが空である場合、これらは、そのデバイスまたは別の電子デバイスとともに用いるための他の機器または媒体を格納するために使用される。
【００１３】
以下の説明は、上述の概念のいくつかを例示または詳述する、種々の構造体１６の例を提供する。説明のために、以下の例は、周辺カードスロット、特にＰＣＭＣＩＡカードスロット内の格納の状況に関して説明する。しかしながら、前述のことに鑑みて、他のデバイスベイも本発明の実施形態によるデバイスおよび構造体を格納することが意図され、以下の例は例示にすぎないことが当業者には理解されよう。
【００１４】
例えば、次に図３を参照すると、ポータブルまたはハンドヘルドコンピュータで見られるような、ＰＣＭＣＩＡカードスロット内に挿入されて確実に保持されるように構成されるリモコン（遠隔制御器）３０が示されている。特に、リモコン３０は、リモコン３０が電子デバイスのＰＣＭＣＩＡカードスロット内にある電気コネクタと接触することを防止するスペーサ３２を含む。このように、ＰＣＭＣＩＡカードスロット内のコネクタは、リモコン３０のスロット内への挿入および格納による損傷を受けない。さらに、一実施形態では、スペーサ３２によって、作動された、ＰＣＭＣＩＡカードスロット内に見られる取り出し機構はリモコン３０を取り出すことができる。
【００１５】
一実施形態では、図３のリモコン３０は、バッテリーで作動し、デバイスベイ内、例えばＰＣＭＣＩＡカードスロット内にあるコネクタと接触しない。しかしながら、別の実施形態では、リモコン３０は、スペーサ３２上のレセプタクルまたは接続部を含み、これらはベイの端部の各電源コネクタと接触して、リモコン内の電源装置の再充電を可能にする。この実施形態では、リモコン３０がベイに格納されている場合に、スペーサ３２によって充電されるが、リモコン３０はベイ内の他のインターフェイス構造と接触すること、またはベイ内の他のインターフェイスに損傷を与えることは防止される。
【００１６】
次に図４を参照すると、充電可能な遠隔制御器４０の一代替実施形態が提供されている。前述の実施形態におけるように、この実施形態では、充電可能なリモコン４０は、デバイスベイ内、例えばＰＣＭＣＩＡカードスロット内に格納されている場合に充電されるように構成される。特に、充電可能なリモコン４０は、周辺カードスロット内のコネクタと結合する充電用インターフェイス４２の全部または一部を含む。図示の実施形態では、充電用インターフェイス４２は、周辺カードスロット１４の利用可能なコネクタ４６（図５に示す）と完全に結合するレセプタクルまたはコンタクトを含まない。その代わりに、充電用インターフェイス４２は、補足的な周辺カードスロットインターフェイスの電源ピン４８の数本または全部に接続するように構成される。図示の例では、充電可能なリモコン４０は、周辺カードスロットの電源ピン、すなわち、例えば、ＰＣＭＣＩＡカードスロットのピン１、１７、３４、３５、５１、および６８に係合および電気的に結合する電源ピンレセプタクル４４を含む。このように、リモコン４０が使用されておらず、かつ周辺カードスロットまたは他のベイ内に格納されている間に、充電可能なリモコン４０内のバッテリーまたは他の充電可能な媒体が充電される。
【００１７】
リモコンは、ポータブル電子デバイスの周辺カードスロット内または他のベイ内に格納され電子装置の一つのタイプであるが、一方ではＵＳＢハブまたは他のタイプのコントローラ等、他のデバイスもこのようにして格納される。例えば、次に図５を参照すると、折り畳み式のゲームコントローラ５０が示されている。図示されるゲームコントローラは、ヒンジ５６により接続される第１の部分５２および第２の部分５４を含む。図５に示すように、２つの部分５２および５４を閉位置に閉じられると、ゲームコントローラ５０は、一対の空の周辺カードスロット１４への挿入及び取り出しが可能になる。ゲームコントローラ５０の２つの部分５２および５４は、周辺カードスロット１４から取り出されると、図６に示すように開位置に開いて、図７に示すようにゲーム制御インターフェイス５９が見えるようにする。図示の実施形態では、ゲーム制御インターフェイス５９は、アクションボタンおよび一時停止ボタン６０と、ジョイスティックインターフェイス等の方向制御部６２とを含む。図示のゲームコントローラ５０は、無線手段を介して、ポータブルまたはハンドヘルドコンピュータ等の適切なゲームデバイスと通信する。この実施形態では、ゲームコントローラ５０は、ゲームコントローラ５０に電力供給するためのバッテリーが挿入される、ヒンジコンパートメント５８等のコンパートメントを含む。図示の実施形態では、ゲームコントローラ５０が周辺カードスロット１４に格納されている場合にゲームコントローラ５０のバッテリーを充電するための、１つまたは複数の、図４に関連して上述したような充電用インターフェイス４２が設けられる。特に、充電用インターフェイス４２の電源ピンレセプタクル４４は、利用可能なコネクタ４６のいくつかの各電源ピン４８と、または全部の各電源ピン４８と係合する。他の実施形態では、充電用インターフェイス４２はなくてもよく、バッテリーは、各ベイに格納されて充電される代わりに、必要に応じてユーザによって交換される。
【００１８】
あるいは、別の実施形態では、図８に示すように、ケーブル接続式ゲームコントローラ６４が提供される。この実施形態では、ケーブル６６およびＵＳＢコネクタ等のコネクタ６８は、ヒンジコンパートメント５８に格納される。図示の実施形態では、ケーブル接続式ゲームコントローラ６４は、コネクタ６８がポータブルまたはハンドヘルドコンピュータ等のゲームデバイスの補助的なレセプタクルに挿入されると、ケーブル６６を通して電力供給される。他の実施形態では、上述のように、ケーブル接続式ゲームコントローラ６４は、バッテリーで駆動することができ、又はそのバッテリーによって充電可能であってもよい。あるいは、ケーブル６６およびコネクタ６８はヒンジコンパートメント５８に格納される必要はなく、その代わりに、ゲームコントローラ６４内で望むように格納されてもよい。
【００１９】
コントローラおよび他の入力デバイスは、電子デバイスのベイ内での格納のために挿入される或るタイプの装置の代表であるが、他のタイプの装置および構造、他のタイプの装置又は構造体もまた、このようにして格納される。例えば、電子デバイスのスロットまたはベイの中に格納されるように構成される格納構造体７０が図９に示されている。格納構造体７０は、格納構造ハウジングの可動部７４の全部または一部を動かすことによってアクセスされる、格納空間７２を有する。例えば、図示の実施形態では、格納構造ハウジングのヒンジ式可動部７４は、上述のようなものであるので、開位置と閉位置との間で回転する。他の実施形態では、可動部７４は、開位置と閉位置との間で摺動するように構成されてもよく、または当業者に既知の他の方法で動かすように構成されてもよい。
【００２０】
アクセス可能な格納空間７２は、電子デバイスまたは別の電子デバイスのリーダとともに用いるための、メモリカードまたはメモリスティック等の媒体を格納するために使用されてもよい。記憶媒体の格納は１つの可能性ではあるが、実際には、格納構造体７０内に収まるような１つまたは複数の任意の物品が、ユーザにより格納されてもよい。例えば、ねじ、ナット、ボルト等、機器の交換部品が格納空間７２に格納してもよい。同様に、紙クリップ、輪ゴム、粘着付箋紙等の事務用品が格納空間７２に格納されてもよい。したがって、格納構造体７０は、電子デバイスのベイに対して繰り返し挿入および取り出しがされる格納デバイスまたはコンパートメントから成る。
【００２１】
同様に、図１０に示す一実施形態では、電子デバイスのスロットまたはベイに格納されるように構成されるケーブル格納構造体８０が提供される。図示のケーブル格納構造体８０は、ネットワークケーブル、電話ケーブル、ＵＳＢケーブル等のようなケーブル８２の少なくとも１つのタイプのケーブルを格納するように構成される。使用時（ベイに格納されているとき）には、格納されているケーブル８２は、ケーブル格納構造体８０から引き出され、コネクタ８４が対応するように構成された各ソケットまたはプラグと接続するために用いられる。図示の実施形態では、ケーブル８２は、ケーブル格納構造体８０が電子デバイスのスロットまたはベイに格納されている場合にアクセス可能であるが、これは、全ての実施形態でそうである必要はない。
【００２２】
図１１に示されるさらなる例示的な実施形態では、充電用構造９０が提供される。充電用構造体９０は、ＰＣＭＣＩＡスロット等の周辺カードスロットの電源ピンの、または充電用構造体９０が挿入されるベイ内の他の電源コネクタの、一部または全部に接続するために用いられる充電用インターフェイス４２を含む。図示の実施形態では、充電用構造体９０は、充電のための１つまたは複数のバッテリー９４を受け入れるように構成されるバッテリーレセプタクル９２を含む。図示の充電用構造体９０は、構造体９０からのバッテリー９４の抜き取りを容易にするために、取り出しボタン９６により作動されるバッテリー取り出し機構も含む。他の実施形態では、取り出し機構は設けられず、充電用構造体９０内にバッテリー９４を保持する抵抗力に打ち勝つようにユーザが力を加えるだけである。
【００２３】
次に図１２を参照すると、参照符号１００で全体的に示される格納可能な構造体の別の実施形態であり、この構造体はマウスである。マウス１００は、光学マウスであってもよく、マウス内の再充電可能なバッテリー１１６によって電力供給される。マウスの使用時には、マウス１００は、ポータブルコンピュータ１０または他のポータブル電子デバイスと無線通信する。例えば、マウス１００は、ポータブルコンピュータ１０または他のポータブル電子デバイスが設けられているブルートゥース無線ネットワークデバイスと通信するように構成される。
【００２４】
図１２に示す実施形態では、マウス１００は、ＰＣＭＣＩＡタイプＩＩＩデバイスベイ１４（図５を参照）内に嵌まるデバイスとして構成される。しかしながら、マウス１００は、代替的に、別の構成のデバイスベイ１４に嵌まるように、形状およびサイズが異なるか、形状かサイズのいずれかが異なる。ＰＣＭＣＩＡタイプＩＩＩデバイスの公称長さは８５．６ｍｍ、公称幅は５４ｍｍ、公称厚さは１０．５ｍｍである。これは通常のコンピュータマウスよりも小さいが、図１２に示されるマウス１００の実施形態が、通常の使用において人間工学的に許容されるのに十分な大きさである。ＰＣＭＣＩＡベイ内の最も奥に挿入される一端部１０２では、マウス１００は、厚さ約３ｍｍまで薄くされ、図４に示されるものと同様の充電用インターフェイス４２のような終端部である。図５のコネクタ４６に関して示すように、ＰＣＭＣＩＡタイプＩＩＩベイ１４内のインターフェイスは、互いに平行に並んだ２つのＰＣＭＣＩＡタイプＩ／ＩＩコネクタから成ることにより、ＰＣＭＣＩＡタイプＩＩＩスロットは２つのＰＣＭＣＩＡタイプＩ／ＩＩデバイスのために使用され得る。マウス１００の充電用インターフェイス４２は、ベイ１４内の２つのコネクタ４６の一方と係合するように構成される。ＰＣＭＣＩＡ規格によって、インターフェイスの電源ピンがホストコンピュータのデバイスドライバによって制御されないことは可能である。したがって、マウス１００は、いかなるデータピンにも接続することなく、かつＰＣＭＣＩＡデバイスドライバをインストールする必要なく、電源ピンに接続するように構成されることが可能である。これにより、ＰＣＭＣＩＡベイがマウス１００のチャージャー１１８に要求に応じて電力を供給する一方で、マウス１００のバッテリーはチャージャー１１８の制御の下で充電される。マウス１００の充電用インターフェイス４２は、ベイ内で動作可能に接続され、データピンは有さず電源ピンのみを有する標準的なコネクタから成る。
【００２５】
マウス１００の使用中にユーザの指の方にある他端部（フィンガーエンド）１０４では、この実施形態のマウス１００は本体１０５を有し、この本体１０５はＰＣＭＣＩＡタイプＩＩＩ形式により許容される高さであって、最大限１０．５ｍｍの高さまで高くなっている。マウス１００は１０．５ｍｍよりも薄くてもよい。マウス１００のこの最大限の高さは、フィンガーエンド１０４からほとんどのマウス１００のほぼ全面にわたって続いている。これよりも薄いかまたは厚い形式を利用してもよい。
【００２６】
この実施形態では、マウス１００のフィンガーエンド１０４は、２つのマウスボタン１０６、１０８およびスクロールホイール１１０を有する。３つのマウスボタンを有するマウス、または２つのボタンを有しスクロールホイールを有さないマウスを含む、他の構成も可能である。マウス１００がＰＣＭＣＩＡベイに挿入されると、マウス１００のフィンガーエンド１０４は通常、ベイの開口部で外にさらされる。したがって、マウス１００のフィンガーエンド１０４は、ほぼ平坦であり、かつＰＣＭＣＩＡベイ１４を囲むコンピュータ１２の表面とぴったり重なる平面であることが好ましい。一代替実施形態では、マウス１００のフィンガーエンド１０４は、マウスがＰＣＭＣＩＡベイ１４内にいっぱいに挿入されるときに、コンピュータ１２の外部にわずかに突出してもよい。この代替実施形態では、マウス１００は、ＰＣＭＣＩＡベイ１４の標準長さよりも長い。さらなる代替実施形態では、突出しているフィンガーエンド１０４は、ＰＣＭＣＩＡベイ１４の高さよりも厚くてもよい。しかしながら、図１２からわかるように、マウス１００のフィンガーエンド１０４は、ＰＣＭＣＩＡベイ１４の開口の長方形状全体を占める必要はない。この実施形態では、マウス１００の側部１１２は、ＰＣＭＣＩＡタイプＩＩＩベイ１４の側部に沿って存在するガイドレールの下に嵌まるように、充電用インターフェイス４２を備える端部１０２の厚さと同じ厚さである。一代替実施形態では、マウス１００のフィンガーエンド１０４は、マウス１００がＰＣＭＣＩＡベイ１４にいっぱいに挿入されると、コンピュータ１２の外部にわずかに突出してもよい。この代替実施形態では、マウス１００は、ＰＣＭＣＩＡベイ１４の標準長さよりも長い。さらなる代替実施形態では、突出しているフィンガーエンド１０４は、ＰＣＭＣＩＡベイ１４の高さよりも厚くてもよい。
【００２７】
マウス１００の本体１０５は、ブルートゥースまたは他の無線接続のための送信機１１４と、再充電可能なバッテリー１１６と、コネクタ４６の継続的に電力供給される電源ピンからのバッテリー１１６の充電を制御するバッテリーチャージャー１１８と、実際のマウス機能を提供する、マウス１００の動き、ボタン１０６、１０８のクリック、およびスクロールホイール１１０の動きためのトラッカーおよびトランスデューサー１２０とを含むことができる。
【００２８】
使用時には、マウス１００は、ＰＣＭＣＩＡベイ１４から取り出され、通常のコードレスマウスとして用いられる。マウス１００は、図１２において上記からわかるように用いられ、マウスのフィンガーエンド１０４の部分および中央部分１０５に渡ってもっとも高く、薄い端部１０２および側部１１２はマウスパッドまたはマウスが用いられている他の表面に向かって薄くなっている。この構成では、ユーザはマウス１００の中央部分１０５を掴むことができ、ユーザの手の付け根は薄い端部１０２に載せることができる。マウス１００が使用中されていないときは、マウス１００はＰＣＭＣＩＡベイ１４に挿入され、そこでマウス１００はマウス自体のバッテリーを再充電することができる。ＰＣＭＣＩＡベイ１４では、収納されることでマウス１００は邪魔にならず、紛失または損傷から守られ、そのコンピュータ１０とともにあるので、必要とされるときにマウス１００は確実に利用可能である。マウス１００のために別個の充電デバイスまたはコードは必要ない。例えば、一度ベイに挿入されると、フィンガーエンド１０４は電子デバイスの側部または端部と同一面上にある。したがって、マウス１００は、電子デバイスのハウジングから外方に突起または突出しない。
【００２９】
前述の例は、本技法に包含される格納可能構造の範囲および種類に関するいくつかの概念を提供しているが、これらの例は単なる例示であり、可能性の範囲を排他的に列挙することは意図されていないことが理解されよう。実際には、本明細書で説明したもの以外の機能を包含する他の格納可能な構造体が本開示の範囲内にあることは、当業者には理解されよう。
【図面の簡単な説明】
【００３０】
【図１】本発明の態様によるポータブルコンピュータおよび挿入可能な構造体の一実施形態を示す図である。
【図２】本発明の態様によるハンドヘルドコンピュータおよび挿入可能な構造体の一実施形態を示す図である。
【図３】本発明の態様による、電子デバイスの周辺カードスロットに挿入されるように構成される遠隔制御デバイスの一実施形態を示す図である。
【図４】本発明の態様による、電子デバイスの周辺カードスロットに挿入されるとともに、スロット内で充電されるように構成される遠隔制御デバイスの一実施形態を示す図である。
【図５】本発明の態様による、電子デバイスの周辺カードスロットに挿入されるように構成される折り畳み可能なゲームコントローラの一実施形態を示す図である。
【図６】本発明の態様による、開かれている図５の折り畳み可能なゲームコントローラを示す図である。
【図７】本発明の態様による、開いた図５の折り畳み可能なゲームコントローラを示す図である。
【図８】本発明の態様による、格納可能なケーブルを含むゲームコントローラの一代替実施形態を示す図である。
【図９】本発明の態様による、電子デバイスの周辺カードスロットに挿入されるように構成される格納構造体の一実施形態を示す図である。
【図１０】本発明の態様による、電子デバイスの周辺カードスロットに挿入されるように構成されるケーブル格納構造体の一実施形態を示す図である。
【図１１】本発明の態様による、電子デバイスの周辺カードスロットに挿入されるように構成されるバッテリー充電用構造体の一実施形態を示す図である。
【図１２】本発明の態様による、電子デバイスの周辺カードスロットに挿入されるように構成されるマウスの一実施形態の概略的な部分分解図である。
【符号の説明】
【００３１】
１０      電子デバイス
１４      周辺カードスロット（ベイ）
４２      電気接続部
４６      電気インターフェイス
１００    マウス
【図１】
2006048673.tif 000003
【図２】
2006048673.tif 000004
【図３】
2006048673.tif 000005
【図４】
2006048673.tif 000006
【図５】
2006048673.tif 000007
【図６】
2006048673.tif 000008
【図７】
2006048673.tif 000009
【図８】
2006048673.tif 000010
【図９】
2006048673.tif 000011
【図１０】
2006048673.tif 000012
【図１１】
2006048673.tif 000013
【図１２】
2006048673.tif 000014